(57)【要約】【課題】接触ＩＣ及び／又は非接触ＩＣが搭載されたＩＣカードと、カード送付台紙とをマッチングするときに、効率良く、正確にマッチングを実行する。【解決手段】マッチング仕様を登録するマッチング仕様登録手段（Ｓ１０２）と、マッチング仕様登録手段に登録されたマッチング仕様に基づいて、カード送付台紙３０から台紙マッチングデータＢを読み取る第１の読取手段（Ｓ１０５）と、ＩＣカード２０からカードマッチングデータＣを、少なくとも１つの読取方法で読み取る第２のデータ読取手段（Ｓ１０８）と、第１及び第２の読取手段から読み取った台紙マッチングデータＢとカードマッチングデータＣとを比較して検査照合する検査照合手段（Ｓ１０９）とを備える。【選択図】        図２
2005066832.tif 000002
【特許請求の範囲】
【請求項１】
ＩＣカードを添付するカード送付台紙において、
前記ＩＣカードとのマッチング仕様を示すマッチング仕様データが印字されていること、を特徴とするカード送付台紙。
【請求項２】
請求項１に記載のカード送付台紙において、
このカード送付台紙は、単位帳票が複数連接された連続帳票であって、
前記マッチング仕様データは、先頭の単位帳票に印字されていること、を特徴とするカード送付台紙。
【請求項３】
請求項１又は請求項２に記載のカード送付台紙と、前記ＩＣカードとをマッチングして、前記カード送付台紙上に前記ＩＣカードを添付するカードマッチングシステムにおいて、
前記カード送付台紙からのマッチング仕様データに基づいて、マッチング仕様を登録するマッチング仕様登録手段と、
前記マッチング仕様登録手段に登録されたマッチング仕様に基づいて、前記カード送付台紙から台紙マッチングデータを読み取る第１の読取手段と、
前記ＩＣカードからカードマッチングデータを、少なくとも１つの読取方法で読み取る第２のデータ読取手段と、
前記第１及び第２の読取手段から読み取った前記台紙マッチングデータと前記カードマッチングデータとを比較して検査照合する検査照合手段と、を備えることを特徴とするカードマッチングシステム。
【請求項４】
請求項３に記載のカードマッチングシステムにおいて、
前記ＩＣカードの種類が正しいか否かを検査するカード種別検査手段を備えること、を特徴とするカードマッチングシステム。
【発明の詳細な説明】
【０００１】
【発明の属する技術分野】
本発明は、接触ＩＣや非接触ＩＣが搭載されたＩＣカードを添付するカード送付台紙と、そのカード送付台紙とＩＣカードとをマッチングして、カード送付台紙上にＩＣカードを添付するカードマッチングシステムに関するものである。
【０００２】
【従来の技術】従来の磁気ストライプカードとカード送付台紙とのカードマッチング方法は、以下の手順で行われていた（例えば、特許文献１）。
１．送付台紙に宛先などと同時にＯＣＲ文字によって台紙マッチングデータ（カード会員番号など）を印字する。
２．カードには、カードマッチングデータを磁気ストライプにエンコード（又はカード基材にエンボス）しておく。
３．マッチングシステムでは、ＯＣＲリーダによって、送付台紙から台紙マッチングデータを読み取る。
４．磁気リーダによって、カードからカードマッチングデータを読み取る。
５．双方のマッチングデータを照合して、正しければ、送付台紙にカードを貼り付け（又は装着孔部に挿入）する。
【０００３】
また、送付台紙にカードが複数枚マッチングされるときには、送付台紙には、複数枚分の台紙マッチングデータが印字されていた。
【０００４】
【特許文献１】
特開２００２−３６２０６７号公報
【０００５】
【発明が解決しようとする課題】
前述した従来の接触ＩＣ、非接触ＩＣが搭載されたＩＣカードの場合においては、磁気ストライプ付ＩＣカードの場合、カードからは、磁気ストライプからマッチングデータを読み出してマッチングすることができる。
しかし、磁気ストライプが付いていないＩＣカードの場合には、磁気ストライプ以外のＩＣ部からマッチングデータを読み取る必要があるが、接触ＩＣ、非接触ＩＣ又は接触／非接触共用ＩＣなど複数の品目があるので、従来のシステムでは、マッチングを実行することができなかった。
【０００６】
本発明の課題は、接触ＩＣ及び／又は非接触ＩＣが搭載されたＩＣカードと、カード送付台紙とをマッチングするときに、効率良く、正確にマッチングを実行することができるカード送付台紙とカードマッチングシステムを提供することである。
【０００７】
【課題を解決するための手段】
前記課題を解決するために、請求項１の発明は、ＩＣカード（２０）を添付するカード送付台紙（３０）において、前記ＩＣカードとのマッチング仕様を示すマッチング仕様データ（Ａ）が印字されていること、を特徴とするカード送付台紙である。
【０００８】
請求項２の発明は、請求項１に記載のカード送付台紙において、このカード送付台紙は、単位帳票が複数連接された連続帳票であって、前記マッチング仕様データは、先頭の単位帳票に印字されていること、を特徴とするカード送付台紙である。
【０００９】
請求項３の発明は、請求項１又は請求項２に記載のカード送付台紙と、前記ＩＣカードとをマッチングして、前記カード送付台紙上に前記ＩＣカードを添付するカードマッチングシステムにおいて、前記カード送付台紙からのマッチング仕様データに基づいて、マッチング仕様を登録するマッチング仕様登録手段（Ｓ１０２）と、前記マッチング仕様登録手段に登録されたマッチング仕様に基づいて、前記カード送付台紙から台紙マッチングデータを読み取る第１の読取手段（Ｓ１０５）と、前記ＩＣカードからカードマッチングデータを、少なくとも１つの読取方法で読み取る第２のデータ読取手段（Ｓ１０８）と、前記第１及び第２の読取手段から読み取った前記台紙マッチングデータと前記カードマッチングデータとを比較して検査照合する検査照合手段（Ｓ１０９）と、を備えることを特徴とするカードマッチングシステムである。
【００１０】
請求項４の発明は、請求項３に記載のカードマッチングシステムにおいて、前記ＩＣカードの種類が正しいか否かを検査するカード種別検査手段（Ｓ１０７）を備えること、を特徴とするカードマッチングシステムである。
【００１１】
【発明の実施の形態】
以下、図面等を参照して、本発明の実施の形態について、さらに詳しく説明する。
図１は、本発明によるカードマッチングシステムの実施形態を示すブロック図、図２は、本実施形態によるカードマッチングシステムの動作を示すフローチャート、図３は、本発明によるカード送付台紙の実施形態を示す図である。
【００１２】
まず、図３を参照して、本実施形態によるカード送付台紙３０について説明する。
このカード送付台紙３０は、単位帳票が複数連接された連続帳票（先頭の単位帳票のみ図示）であって、両サイドに送り用のマージナルパンチ穴がついており、１面付けで図示しているが、２面付けであってもよい。
【００１３】
カード送付台紙３０は、先頭の単位帳票にマッチング仕様データＡと、台紙マッチングＢが印字されている。
ここで、マッチング仕様データＡと、台紙マッチングＢの事例を示す。
【００１４】
（Ａ）マッチング仕様データＡの事例
ＯＣＲ  データフォーマット：＜ＬＬ＞＜Ｎ＞＜ｎ＞＜ＭＭ＞＜Ｐ…．Ｐ＞＜ｎ＞＜ＭＭ＞＜Ｐ…．Ｐ＞  …．．
ＬＬ：マッチング仕様データのレングス  （文字数、１から９９）
Ｎ  ：カードから読み取るマッチングデータの読取区分の数  （１から９）
ｎ  ：読取区分の番号  （１から９）
ＭＭ：読取区分（ＭＳ＝磁気ストライプ、ＩＣ＝接触ＩＣ、ＲＣ＝非接触ＩＣ、ＥＢ＝文字読取）
Ｐ  …．Ｐ：読み取る為のパラメータ  （磁気ストライプ上の８バイト目から１０桁の場合＝＜０８１０＞など）
【００１５】
事例Ａ１：  ＜３３＞＜２＞＜１＞＜ＭＳ＞＜０８１０＞＜２＞＜ＲＣ＞＜０５０１０１１０＞
＜３３＞：「＜３３＞」以降の文字数
＜２＞  ：２  つの読取区分よりマッチングデータを読み取る
＜１＞＜ＭＳ＞＜０８１０＞  ：磁気ストライプ上の８バイト目から１０桁をマッチングデータ読み取る
＜２＞＜ＲＣ＞＜０５０１１０＞  ：第５ブロックの１バイト目から１０桁をマッチングデータ読み取る
【００１６】
（Ｂ）マッチングデータＢの事例
ＯＣＲ  データフォーマット：＜ＬＬ＞＜Ｎ＞＜ｎ＞＜Ｖ…．Ｖ＞＜ｎ＞＜Ｖ…．Ｖ＞
ＬＬ：マッチング仕様データのレングス  （文字数、１から９９）
Ｎ  ：貼付けるカード枚数  （１から９）
ｎ  ：カードの番号  （１から９）
Ｖ  …．Ｖ：カード毎のマッチングデータ
【００１７】
事例Ｂ１：  ＜１８＞＜１＞＜１＞＜１００１０００００１＞
＜１８＞：「＜１８＞」以降の文字数
＜１＞  ：貼付けるカード枚数＝１枚
＜１＞＜１００１０００００１＞  ：１／１枚目のマッチングデータ＝１００１０００００１
【００１８】
事例Ｂ２：  ＜３３＞＜２＞＜１＞＜１００１０００００２＞＜２＞＜１００１０００００３＞
＜３３＞：「＜３３＞」以降の文字数
＜２＞  ：貼付けるカード枚数＝２  枚
＜１＞＜１００１０００００１＞  ：１／２枚目のマッチングデータ＝１００１０００００２
＜２＞＜１００１０００００３＞  ：２／２枚目のマッチングデータ＝１００１０００００３
【００１９】
この実施形態のカードマッチングシステムは、カード給紙部１（１Ａ，１Ｂ）と、カード種別検査部２と、磁気読取部３と、接触ＩＣ読取部４と、非接触ＩＣ読取部５と、文字読取部６と、ＮＧカード排出部７と、台紙給紙部８と、切離し部９と、ＯＣＲ読取部１０と、カード貼付け部１１と、マッチング確認部１２と、折り部１３と、良品回収部１４と、ＮＧ台紙排出部１５と、検査照合部１６などとを備えている。
【００２０】
カード給紙部１は、発行済みのＩＣカード２０をセットしておき、ＩＣカード２０を供給する部分である。このカード給紙部１は、カード種類が異なる複数の「カード種別」のカードをセットすることができる。
ここで、ＩＣカード２０は、図３に示すように、接触ＩＣ２１な装着され、磁気ストライプ２２が形成されており、接触ＩＣ２１、磁気ストライプ２２に、マッチングデータＣが書き込まれているものとする。
また、カード給紙部１は、送付台紙側の台紙マッチングデータをもとに、各カード種毎の給紙部１Ａ、１Ｂより、ＩＣカードを順次搬送する。
【００２１】
カード種別検査部２は、台紙マッチングデータＢをもとに、該当する「カード種別」のカードであることを照合する部分である。カード種別コードは、印刷又は磁気ストライブ、ＩＣへ書き込まれている。
このカード種別検査部２は、ＣＣＤカメラ、ＯＣＲリーダ、ＩＣリーダなどにより、カード種別コードを読み取り、マッチングデータと比較する。そして、カード種別コードが異なっている、又は、読み取れない場合には、そのＩＣカード２０をＮＧカード排出部７へ排出する。
【００２２】
磁気読取部３、接触ＩＣ読取部４、非接触ＩＣ読取部５及び文字読取部６は、台紙マッチングデータＢ内の読取区分、読取パラメータをもとに、ＩＣカード２０からカードマッチングデータＣを読み取り照合する部分である。
読取区分が複数設定されている場合には、設定された区分に対応する読取部３〜６によって、カードマッチングデータＣを読み取り照合する。そして、カードマッチングデータＣが異なっている、又は、読み取れない場合には、カードをＮＧカード排出部７へ排出する。
【００２３】
台紙給紙部８は、送付先住所やカード会員番号Ｄなどと共に、台紙マッチングデータＢが印字されているカード送付台紙３０を供給する部分である。
カード送付台紙３０は、先頭の単位帳票にマッチング仕様データＡが印字されている。この場合には、まず、その先頭の帳票のみ搬送し、システムにマッチング仕様を登録する。
【００２４】
切離し部９は、カード送付台紙３０の連続帳票を単票に切り分けする部分である。なお、この切離し部９は、マッチング確認部１２と折り部１３の間にあってもよい。
【００２５】
ＯＣＲ読取部１０は、単票の台紙よりマッチング仕様データＡ及び台紙マッチングデータＢをＯＣＲリーダにより読み取る部分である。
マッチング仕様データＡは、このシステムに登録され、各カード読取部に配信される。そして、データが読み取れない、又は、重複している場合には、該当の帳票は、ＮＧ台紙排出部１５に排出される。
【００２６】
カード貼付け部１１は、カードマッチングデータＣを読み取り、台紙マッチングデータＢと照合できた正常なＩＣカード２０の貼付面Ｅ（図３参照）に貼付用テープを貼付して、マッチング仕様データＡ又は台紙マッチングデータＢにあるカード送付台紙上３０のカード貼付け位置に、ＩＣカード２０を貼り付ける。
このカード貼付け部１１は、１枚のカード送付台紙３０に複数枚のＩＣカード２０を貼り付けるときは、順次、ＩＣカード２０を所定位置に貼り付ける。
【００２７】
マッチング確認部１２は、ＩＣカード２０が貼付されたカード送付台紙３０から、再度、台紙マッチングデータＢを読み取り、カード送付台紙３０上のＩＣカード２０から、接触ＩＣリーダ（又はエンボス文字などの印字文字を対象とした文字認識装置）によりカードマッチングデータＣを読み取り、台紙とカードのマッチングデータＢ，Ｃを照合する部分である。そして、照合した結果がＮＧであれば、カード送付台紙をＮＧ台紙排出部１５に排出する。なお、ＩＣカードから読み取り不可能な場合には、ここでは確認を行わない。
【００２８】
折り部１３は、正常なカード送付台紙を、Ｚ折り（又はＣ折り）する部分である。折り仕様は、マッチング仕様データＡ、又は、台紙マッチングデータＢより取得が可能である。また、この折り仕様は、直接装置に設定することも可能である。
【００２９】
検査照合部１６は、接触ＩＣ２１や磁気ストライプ２２などから複数の読取手段で読み取ったカードマッチングデータＣを比較照合し、ＩＣカード２０が正しく発行されたのか検査する部分である。さらに、正常に発行されたＩＣカード２０に対して、台紙マッチングデータＢを比較照合して、貼り付け対象のＩＣカード２０であるか否かを判別する。
【００３０】
次に、図２を参照しながら、本実施形態によるカードマッチングシステムの動作を示すフローチャートである。
Ｓ１０１において、先頭のカード送付台紙に印字されたマッチング仕様データがＡ、ＯＣＲ読取部１０のよって読み取られる。
Ｓ１０２において、そのマッチング仕様データＡは、このシステムに登録され、システムの設定が完了する。
【００３１】
Ｓ１０３において、カード送付台紙３０は、台紙給紙部８によって連続帳票の状態で連続搬送が開始される。
Ｓ１０４において、カード送付台紙３０は、連続帳票が切離し部９によって単票に切り分けされる。
Ｓ１０５において、各カード送付台紙３０に印字された台紙マッチングデータＢが、ＯＣＲ読取部１０のよって読み取られる。
Ｓ１０６において、ＩＣカード２０は、台紙マッチングデータＢに基づいて、各カード種毎の給紙部１Ａ、１Ｂから順次搬送が開始される。
【００３２】
Ｓ１０７において、ＩＣカード２０は、カード種別検査部２によって、台紙マッチングデータＢをもとに、該当する「カード種別」のカードであるか否かがチェックされる。
ここで、カード種別コードが異なっている、又は、読み取れない場合には、そのＩＣカードをＮＧカード排出部７へ排出する。
【００３３】
Ｓ１０８において、ＩＣカード２０は、台紙マッチングデータＢ内の読取区分、読取パラメータに基づいて、磁気読取部３、接触ＩＣ読取部４、非接触ＩＣ読取部５又は文字読取部６よって、カードマッチングデータＣを読み取られる。
ここで、カードマッチングデータＣが異なっている、又は、読み取れない場合には、カードをＮＧカード排出部７へ排出する。
【００３４】
Ｓ１０９において、ＩＣカード２０は、検査照合部１６によって、接触ＩＣ２１や磁気ストライプ２２などから複数の読取手段で読み取ったカードマッチングデータＣを比較照合される。
【００３５】
Ｓ１１０において、台紙マッチングデータと照合できた正常なＩＣカードは、カード貼付け部１１によって、カード送付台紙上のカード貼付け位置に、貼り付けられる。
【００３６】
Ｓ１１１において、マッチング確認部１２によって、カード送付台紙３０から、再度、台紙マッチングデータＢを読み取り、ＩＣカード２０からカードマッチングデータＣを読み取り、台紙とカードのマッチングデータＢ，Ｃを照合して、マッチングの確認を行う。
【００３７】
Ｓ１１２において、正常なカード送付台紙３０は、折り部１３によって、Ｚ折りされる。
Ｓ１１３において、マッチングのとれたＩＣカード２０が貼付されたカード送付台紙３０は、良品回収部１４へ回収される。
【００３８】
（変形形態）
以上説明した実施形態に限定されることなく、種々の変形や変更が可能であって、それらも本発明の均等の範囲内である。
主に、接触ＩＣカードの例で説明したが、非接触ＩＣカードであっても、接触／非接触共用ＩＣカードでもよい。また、磁気ストライプがないＩＣカードであっても、適用できる。
【００３９】
【発明の効果】
以上詳しく説明したように、本発明によれば、以下のような効果がある。
（１）品目毎にマッチング仕様を設定する必要がなくなる。
（２）カード送付台紙に対して、間違ったＩＣカードをマッチングするミスを防ぐことができる。
（３）マッチングデータの読み取りとＩＣカードの検査工程とを１つにすることにより、リードタイムの短縮と品質向上を図れる。
【図面の簡単な説明】
【図１】本発明によるカードマッチングシステムの一実施形態を示したブロック図である。
【図２】本実施形態によるカードマッチングシステムの動作を示したフローチャートである。
【図３】本発明によるカード送付台紙の実施形態を示す図である。
【符号の説明】
１（１Ａ，１Ｂ）  カード給紙部
２  カード種別検査部
３  磁気読取部
４  接触ＩＣ読取部
５  非接触ＩＣ読取部
６  文字読取部
７  ＮＧカード排出部
８  台紙給紙部
９  切離し部
１０  ＯＣＲ読取部
１１  カード貼付け部
１２  マッチング確認部
１３  折り部
１４  良品回収部
１５  ＮＧ台紙排出部
１６  検査照合部
【図１】
2005066832.tif 000003
【図２】
2005066832.tif 000004
【図３】
2005066832.tif 000005